(57)【要約】      （修正有）【課題】水の電気分解により、健康に良いカルキ臭のない水素水を生成する、移動も容易で安定した機能を持つ簡易電解式水素水生成器を提供する。【解決手段】本水素水生成器１は、水道水等電解用原水を容れる縦長容器の底部に電解用陰陽電極を水平に設け、容器内部に、カルキ臭成分を分解無臭化する亜硫酸カルシュウムを含むセラミックの粗粒を充填した、要部が網状或いは多孔性の材料で作られた脱臭反応器Ｄを設け、水素水生成のための二次電池８や接続時の電源が過放電状態になっても、二次電池８や電源に障害を与えず、電極電流制御基板９等が破損しない機能を設けたものである。【選択図】図３
0003198341.tif 000002
【実用新案登録請求の範囲】
【請求項１】
原水を水素水に変換する電解式水素水生成部と、該水素水を貯留する胴体部と、該胴体部の内部に設けられたカルキ臭を分解する亜硫酸カルシュウムを含むセラミックの粗粒を充填した脱臭反応器とからなり、
該水素水生成部は、
ａ）縦長とした胴体部の底部に配置し、
ｂ）底部に、絶縁性のスペーサーの上下両側に金属製の網状或いは多孔性の電極板を置いた電解部を水平に設け、
カルキ臭除去装置は、
ｃ）胴体内部に、カルキ成分を分解する亜硫酸カルシュウムを含むセラミックの粗粒を充填した、要部が網状或いは多孔性の材料で形成された容器が設けられたことを特徴とする移動も容易な簡易電解式水素水生成器。
【請求項２】
誤って電気伝導度が著しく高すぎる電解用原水を容器に容れた場合に、過電流による二次電池や接続された電源、電極電流装置基盤の破損を防ぐ機能を持った電流制御装置を組み込んだ、簡易電解式水素水生成器。
【考案の詳細な説明】
【考案の詳細な説明】
【技術分野】
【０００１】  本考案は、携帯用電解式水素水生成器に関し、カルキ臭のない水素水を容易に飲用できるように考案したものである。
【背景技術】
【０００２】  人が肺から生体内に取り込んだ酸素の一部は活性酸素となる。活性酸素は免疫上重要な働きがあるが、過剰な活性酸素は生体内の細胞を傷つけ健康上有害な作用がある。【０００３】  しかるに２００７年５月に、日本医科大学の太田成男教授の『水素には、体内で生成される４種類の活性酸素の中で最も有害で酸化力が強いヒドロキシラジカルを消去する作用がある。』という趣旨の論文が、権威或るネイチャーメディスン（Ｎａｔｕｒｅ  Ｍｅｄｉｃｉｎｅ）に発表された。【０００４】  この論文をきっかけに、わが国に於いては水素水に強い関心が急激に高まった。既に多くのメーカーより電解式水素水を製造するサーバーが発売され、わが国の水素水関連の年商は既に２００億円に達している。【０００５】  ところで、上記飲料用の電解式水素水生成装置としては、原水が導入される電解室と、該電解室内と該電解室外を区画する隔膜と、この隔膜と挟設する電極板対を有し、該電解室外の電極板が隔膜に接触又は僅かな隙間を設けてなる電解式水素水生成装置が提案されている（特許文献１）。【０００６】  一方、電解式水素水生成装置の二つ目に、その電解槽内に設置するイオン交換膜とその膜に密着する電極によって電解槽を陰極室と陽極室に区画し、該極室それぞれに設けた原料水の供給水ノズルより水を供給しながら電解し、該陰極室と該陽極室にて電解水素水とオゾンを含む電解酸性水を生成する装置が提案されている（特許文献２）。【０００７】  しかし上記技術は、いずれも主に業務用の比較的大型の装置を対象とした高価なものであり、家庭用に向けたものではない。【０００８】  家庭用の要望に応える為に、近年小型の携帯用電解式水素水生成器も市場に出回るようになった。（実用新案文献１）
【先行技術文献】
【特許文献】
【０００９】
【特許文献１】特許第３３４９７１０号
【特許文献２】特開平７−２１４０６３号
【実用新案文献】
【００１０】
【実用新案文献】
実用新案３１７５９９７号号
【考案の概要】
【考案が解決しようとする課題】
【００１１】  近年市場に登場した携帯用電解式水素水生成器は簡便軽量安価であるが、水道水等殺菌用塩素が残留している水を直接電解するために発生するカルキ臭を除去する装置が組み込まれていないので、水素水生成器より水素水を飲用する際に、悪臭を感ずるという問題がある。本考案は、この悪臭問題を極めて簡便に解決す方法である。【００１２】  大型の業務用水素水生成装置では、電解用の原水が水道管から配管により固定的供給されなど、原水の水質が安定している。しかるに、本考案のような移動も容易な簡易電解式水素水生成器の場合には、電解用原水として水道水に限らず、電気伝導度が一定していない様々な水が、電解用容器に容れられる可能性がある。もし、塩分などの電解質が解けた、電気伝導度が著しく高い原水が電解用容器に容れられると、電解開始と直ぐに、二次電池あるいは接続された電源の過放電起こり、二次電池あるいは接続された電源、電極電流装置基盤等が破損し、再使用が不可能となる可能性が高い。
【課題を解決するための手段】
【００１３】  前記の目的を達するために、請求項記載の移動も容易で携帯も可能な簡易電解式水素水生成器の主要構成は、水道水等電気分解用原水を容れる縦型原水容器の底部に電解用電極を置き、該原水容器内に、カルキ成分を無臭化する亜硫酸カルシュウムを含むセラミックの粗粒を、該粗粒が粗粒容器外に漏れ出さず且つ電解水が容易に該粗粒と接触反応できるように要部が網状或いは多孔性の材料で形成された容器に充填した脱臭反応器を設け、更に水素水生成器の下部あるいは側部に、過放電による二次電池や接続された電源、電極電流装置基盤の破損を防ぐ過放電防止機能を持った電極電流制御装置を備えたものである。【００１４】  水を容れる容器は、断面形状は特定の形に限定されないが、通常は円形の縦長状容器である。【００１５】  電解用電極は、容器の最低部に設けることにより、発生した水素ガスは、電極から原水表面まで最大距離を浮上する間に原水に溶解しやくなるので、容器の最低部に設けることが望ましい。【００１６】  電解用電極は特定の金属に限定しないが、信頼性及び安定性の点からチタンに白金メッキしたものが望ましい。又電極の形状は、電極表面積が大きい網状或いは多孔性電極板が望ましい。
【考案の効果】
【００１７】  カルキ成分は、下記の化学反応により分解されるので、飲用する水素水にはカルキ臭は全く感じられなくなる。
ＣａＳＯ３＋ＨＣｌＯ→ＣａＳＯ４＋ＨＣｌ【００１８】  二次電池や接続された電源、電極電流装置等の保護に関しては、日常生活に於いて、不注意により電気伝導度の著しく高い水溶液や飲料の残液がある容器に水道水等を入れて電解用原水となし、該容器から該原水を本考案の水素水生成器に移し容れて電源スイッチを入れても、二次電池や接続された電源、電極電流装置基盤等の破損は防止されるなど、安心して使用することができる。
【図面の簡単な説明】
【００１９】
【図１】本考案の携帯用電解式水素水生成器の全体斜視図である。
【図２】本考案を各部に分解した状態の斜視図である。
【図３】本考案の縦断面図である。
【図４】本考案の水素生成部の（Ａ）平面図、（Ｂ）底面図である。
【図５】本考案の水素生成部の拡大断面図である。
【図６】本考案の多孔状電極板の拡大斜視図である。
【図７】本考案の脱臭反応器の拡大斜視図である。
【考案を実施する為の形態】
【００２０】  本考案の実施形態を図１〜図７に基づき説明する。
【００２１】  本考案の携帯用電解式水素水生成器１は、図１に示す如く、手軽に持ち運び或いは携帯に便利な大きさとし、一般的には胴部の中程を握りやすいようにくびらせて直径は約５５ミリメートルに、胴の上部と下部の直径は約７５ミリメートルとしている。
【００２２】  図２は、図１で示した本考案の携帯用電解式水素水生成器１の全体斜視図のうち、（Ａ）はキャップ部、（Ｂ）は胴体部、（Ｃ）は電解による水素水生成部、（Ｄ）はキャップ部に取り付けられた脱臭用反応器を示している。この各部は互いにネジで嵌合され、水漏れのない構造としている。
携帯用電解式水素水生成器１に原水を供給するときは、キャップ部を外して原水を供給したのちキャップを締める。水素水生成後には、上部キャップを外してから胴体部を傾けてコップなどに水素水を注いで飲むものとする。
【００２３】  キャップ部（Ａ）は脱着可能であり、カルキ臭を除去する亜硫酸カルシュウムを含んだ直径約５ミリの球状セラミックを充填した脱臭反応器が、螺旋ネジによって中央部に下向きに取り付けられている。
【００２４】  胴体部（Ｂ）は、上下端がオープン形状で筒状であるが、手で持ちやすいように中程がくびれた形状になっている。胴体部（Ｂ）に原水を容れる時は、予め水素水生成部（Ｃ）と組立てておく。また胴体部（Ｂ）の材質は、電解時に水素や酸素の気泡の上昇が見えるように、透明なアクリル樹脂など透明な材質のものが好ましい。
【００２５】  水素水生成部（Ｃ）は本携帯用電解式水素水生成器１の底部で、胴体部（Ｂ）と嵌合する電極ユニット収納樹脂製容器２と、この容器２に下からネジで固定されている電源部及び電解電流制御部が設けられているカップ状樹脂製容器３の二つの部分から構成されている。
【００２６】  以下に、携帯用電解式水素水生成器１の全体断面図を示す上記図３、そのうちの水素水生成部の拡大断面図を示す図５、多孔状電極板を示す図６及びカルキ臭を除く脱臭反応器を示す図７を用いて各部を更に詳細に説明する。
【００２７】  水素水生成部（Ｃ）の詳細を、図５の拡大断面図を用いて詳細に説明する。
電極ユニットは、リング状樹脂製スペーサーの上下両側をチタンに白金メッキとした多孔状電極で挟み、下側の電極の更に下側に電解室を確保する為のリング状樹脂製スペーサーを置き、チタン製のボルトとナットで容器２と固定されている。ボルトの貫通部は、水漏れしないようにシールされている。また、ボルトは、電極を電極電流制御板に接続するリード線の機能を一部兼ねている。
電源部及び電解電流制御部は、二次電池８、電解電流を制御する制御基板９、電解を開始するための電源スイッチ１０、外部電源を二次電池に接続するコネクターの受け口１１等からなる。
【００２８】  カルキ臭の脱臭反応器（Ｄ）の詳細を、図７の斜視図（Ｄ）を用いて説明する。反応器の形状は透明な樹脂製で、形状は試験管状であり、開放部には、脱臭反応器をキャップ（Ａ）に取り付けるために外側にネジが設けられている。反応器には、直径約５ミリの亜硫酸カルシュウムを含んだセラミック粗粒が充填され、反応管の表面には、直幅約３ミリの細長い孔が多数開けられており、原水や生成された水素水が容易にセラミック粗粒と接触できる構造になっている。
【符号の説明】
【００２９】  Ａ    携帯用電解式水素水生成器のキャップ部
Ｂ    携帯用電解式水素水生成器の胴体部
Ｃ    携帯用電解式水素水生成器の水素水生成部
Ｄ    携帯用電解式水素水生成器の脱臭反応器
１    携帯用電解式水素水生成器
２    電極ユニット収容樹脂製容器
３    電源部及び電解用制御部収容樹脂製容器
４    上部多孔状電極板
５    下部多孔状電極板
６    リング状スペーサー
７    電極部ユニット
８    二次電池
９    電解用電流制御基板
１０    電源スイッチ
１１    二次電池への外部電源接続コネクター
【図１】
0003198341.tif 000003
【図２】
0003198341.tif 000004
【図３】
0003198341.tif 000005
【図４】
0003198341.tif 000006
【図５】
0003198341.tif 000007
【図６】
0003198341.tif 000008
【図７】
0003198341.tif 000009
【手続補正書】
【提出日】平成27年2月18日(2015.2.18)
【手続補正１】
【補正対象書類名】実用新案登録請求の範囲
【補正対象項目名】全文
【補正方法】変更
【補正の内容】
【実用新案登録請求の範囲】
【請求項１】
原水を水素水に変換する電解式水素水生成部と、該水素水を貯留する胴体部と、該胴体部の内部に設けられたカルキ臭を分解する亜硫酸カルシュウムを含むセラミックの粗粒を充填したカルキ臭脱臭反応器とからなり、
該水素水生成部は、
ａ）縦長とした胴体部の底部に配置し、
ｂ）底部に、絶縁性のスペーサーの上下両側に金属製の網状或いは多孔性の電極板を置いた電解部を水平に設け、
カルキ臭脱臭反応器は、
ｃ）胴体内部に、カルキ成分を分解除去する亜硫酸カルシュウムを含むセラミックの粗粒を充填した、要部が網状或いは多孔性の材料で形成されたカルキ臭脱臭反応器が設けられたことを特徴とする移動も容易な簡易電解式水素水生成器。
【請求項２】
誤って電気伝導度が著しく高すぎる電解用原水を容器に容れた場合に、過電流による二次電池や接続された電源、電極電流装置基盤の破損が起きてしまうことを防ぐために，電極電流制御装置内に電極電流検出器を設け、この電極電流検出器の検出値を基に電極電流を任意数値内に制御する機能を持った電極電流制御基盤を組み込んだことを特徴とする請求項１に記載の簡易電解水生成器。
【手続補正２】
【補正対象書類名】明細書
【補正対象項目名】０００１
【補正方法】変更
【補正の内容】
【０００１】  本考案は、簡易電解式水素水生成器に関し、カルキ臭のない水素水を容易に飲用できるように考案したものである。
【手続補正３】
【補正対象書類名】明細書
【補正対象項目名】００１２
【補正方法】変更
【補正の内容】
【００１２】  大型の業務用水素水生成装置では、電解用の原水が水道管から配管により固定的供給されなど、原水の水質が安定している。しかるに、本考案のような移動も容易な簡易電解式水素水生成器の場合には、電解用原水として水道水に限らず、電気伝導度が一定していない様々な水が、電解用容器に容れられる可能性がある。もし、塩分などの電解質が解けた、電気伝導度が著しく高い原水が電解用容器に容れられると、電解開始と直ぐに、二次電池あるいは接続された電源の過放電起こり、二次電池あるいは接続された電源、電極電流制御基盤等が破損し、再使用が不可能となる可能性が高い。
【手続補正４】
【補正対象書類名】明細書
【補正対象項目名】００１３
【補正方法】変更
【補正の内容】
【００１３】  前記の目的を達するために、請求項記載の移動も容易で携帯も可能な簡易電解式水素水生成器の主要構成は、水道水等電気分解用原水を容れる縦型原水容器の底部に電解用電極を置き、該原水容器内に、カルキ成分を無臭化する亜硫酸カルシュウムを含むセラミックの粗粒を、該粗粒が粗粒容器外に漏れ出さず且つ電解水が容易に該粗粒と接触反応できるように要部が網状或いは多孔性の材料で形成された容器に充填した脱臭反応器を設け、更に水素水生成器の下部あるいは側部に、過放電による二次電池や接続された電源、電極電流装置基盤の破損を防ぐために、電極電流制御装置内に電極電流検出器を設け、この電極電流検出器の検出値を基に電極電流を任意数値内に制御する機能を持った電極電流制御基盤を組み込んだ電極電流制御装置を備えたものである。
【手続補正５】
【補正対象書類名】明細書
【補正対象項目名】００１８
【補正方法】変更
【補正の内容】
【００１８】  二次電池や接続された電源、電極電流制御装置等の保護に関しては、日常生活に於いて、不注意により電気伝導度の著しく高い水溶液や飲料の残液がある容器に水道水等を入れて電解用原水となし、該容器から該原水を本考案の水素水生成器に移し容れて電源スイッチを入れても、二次電池や接続された電源、電極電流制御装置等の破損は防止されるなど、安心して使用することができる。
【手続補正６】
【補正対象書類名】明細書
【補正対象項目名】００１９
【補正方法】変更
【補正の内容】
【００１９】
【図１】本考案の簡易電解式水素水生成器の全体斜視図である。
【図２】本考案を各部に分解した状態の斜視図である。
【図３】本考案の縦断面図である。
【図４】本考案の水素生成部の（Ａ）平面図、（Ｂ）底面図である。
【図５】本考案の水素生成部の拡大断面図である。
【図６】本考案の多孔状電極板の拡大斜視図である。
【図７】本考案のカルキ脱臭反応器の拡大斜視図である。
【手続補正７】
【補正対象書類名】明細書
【補正対象項目名】００２１
【補正方法】変更
【補正の内容】
【００２１】本考案の簡易電解式水素水生成器１は、図１に示す如く、手軽に持ち運び或いは携帯に便利な大きさとし、一般的には胴部の中程を握りやすいようにくびらせて直径は約５５ミリメートルに、胴の上部と下部の直径は約７５ミリメートルとしている。
【手続補正８】
【補正対象書類名】明細書
【補正対象項目名】００２２
【補正方法】変更
【補正の内容】
【００２２】  図２は、図１で示した本考案の簡易電解式水素水生成器１の全体斜視図のうち、（Ａ）はキャップ部、（Ｂ）は胴体部、（Ｃ）は電解による水素水生成部、（Ｄ）はキャップ部に取り付けられた脱臭用反応器を示している。この各部は互いにネジで嵌合され、水漏れのない構造としている。
簡易電解式水素水生成器１に原水を供給するときは、キャップ部を外して原水を供給したのちキャップを締める。水素水生成後には、上部キャップを外してから胴体部を傾けてコップなどに水素水を注いで飲むものとする。
【手続補正９】
【補正対象書類名】明細書
【補正対象項目名】００２３
【補正方法】変更
【補正の内容】
【００２３】  キャップ部（Ａ）は脱着可能であり、カルキ臭を分解除去する亜硫酸カルシュウムを含んだ直径約５ミリの球状セラミックを充填したカルキ臭脱臭反応器が、螺旋ネジによって中央部に下向きに取り付けられている。
【手続補正１０】
【補正対象書類名】明細書
【補正対象項目名】００２５
【補正方法】変更
【補正の内容】
【００２５】  水素水生成部（Ｃ）は本簡易電解式水素水生成器１の底部で、胴体部（Ｂ）と嵌合する電極ユニット収納樹脂製容器２と、この容器２に下からネジで固定されている電源部及び電極電流制御装置が設けられているカップ状樹脂製容器３の二つの部分から構成されている。
【手続補正１１】
【補正対象書類名】明細書
【補正対象項目名】００２６
【補正方法】変更
【補正の内容】
【００２６】  以下に、簡易電解式水素水生成器１の全体断面図を示す上記図３、そのうちの水素水生成部の拡大断面図を示す図５、多孔状電極板を示す図６及びカルキ臭を除くカルキ臭脱臭反応器を示す図７を用いて各部を更に詳細に説明する。
【手続補正１２】
【補正対象書類名】明細書
【補正対象項目名】００２７
【補正方法】変更
【補正の内容】
【００２７】  水素水生成部（Ｃ）の詳細を、図５の拡大断面図を用いて詳細に説明する。電極ユニットは、リング状樹脂製スペーサーの上下両側をチタンに白金メッキとした多孔状電極で挟み、下側の電極の更に下側に電解室を確保する為のリング状樹脂製スペーサーを置き、チタン製のボルトとナットで容器２と固定されている。ボルトの貫通部は、水漏れしないようにシールされている。また、ボルトは、電極を電極電流制御基板に接続するリード線の機能を一部兼ねている。
電源部及び電極電流制御部は、二次電池８、電極電流を制御する制御基板９、電解を開始するための電源スイッチ１０、外部電源を二次電池に接続するコネクターの受け口１１等からなる。
【手続補正１３】
【補正対象書類名】明細書
【補正対象項目名】００２８
【補正方法】変更
【補正の内容】
【００２８】カルキ臭脱臭反応器（Ｄ）の詳細を、図７の斜視図（Ｄ）を用いて説明する。反応器の形状は透明な樹脂製で、形状は試験管状であり、開放部には、カルキ臭脱臭反応器をキャップ（Ａ）に取り付けるために外側にネジが設けられている。反応器には、直径約５ミリの亜硫酸カルシュウムを含んだセラミック粗粒が充填され、反応管の表面には、直幅約３ミリの細長い孔が多数開けられており、原水や生成された水素水が容易にセラミック粗粒と接触できる構造になっている。
【手続補正１４】
【補正対象書類名】明細書
【補正対象項目名】００２９
【補正方法】変更
【補正の内容】
【００２９】Ａ    簡易電解式水素水生成器のキャップ部
Ｂ    簡易用電解式水素水生成器の胴体部
Ｃ    簡易用電解式水素水生成器の水素水生成部
Ｄ    簡易用電解式水素水生成器のカルキ臭脱臭反応器
１    簡易電解式水素水生成器
２    電極ユニット収容樹脂製容器
３    電源部及び電極電流制御装置収容樹脂製容器
４    上部多孔状電極板
５    下部多孔状電極板
６    リング状スペーサー
７    電極部ユニット
８    二次電池
９    電極電流制御基板
１０  電源スイッチ
１１  二次電池への外部電源接続コネクター
【手続補正１５】
【補正対象書類名】図面
【補正対象項目名】図３
【補正方法】変更
【補正の内容】
【図３】
0003198341.tif 000010